Podtech/llm-jp-corpus-v4-ja_patent huggingface dataset:
(57)【要約】【課題】本発明は、下水汚泥ケーキを取扱う上での障害である悪臭、粘性の問題を解決し、その処理を容易にする方法の提供を課題とする。【解決手段】下水汚泥脱水ケーキ１００質量部に対して活性炭を５〜１００質量部及び、高炉スラグ、石炭灰、石油精製触媒として用いられたゼオライトの廃材、製紙スラッジ燃焼灰よりなる群から選ばれる一種以上の無機質粉末混合材を５０〜４００質量部混合することを特徴とする下水汚泥脱水ケーキ処理方法を見出し、上記課題を解決した。【選択図】          なし【特許請求の範囲】
【請求項１】
下水汚泥脱水ケーキ１００質量部に対して活性炭を５〜１００質量部及び、高炉スラグ、石炭灰、石油精製触媒として用いられたゼオライトの廃材、製紙スラッジ燃焼灰よりなる群から選ばれる一種以上の無機質粉末混合材を５０〜４００質量部混合することを特徴とする下水汚泥脱水ケーキ処理方法。
【発明の詳細な説明】
【０００１】
【発明の属する技術分野】本発明は、下水汚泥脱水ケーキの処理方法に関する。
【０００２】
【従来の技術】下水汚泥脱水ケーキは、下水から水分の大部分を除去した後の残渣であるが、生活活動に伴い不可避的に発生するものであり、都市ゴミと同様、その処理が大問題となっているものの一つである。腐敗物および多量の水を含む事から、処理に当たっては、悪臭の発生と取扱いを困難にする粘着力が問題となる。
悪臭に対しては、活性炭を投入して悪臭ガスを吸着させる方法が公知であり実施されている。しかし、汚泥脱水ケーキの消臭材として活性炭を使う場合、活性炭が汚泥の水分を吸収し活性炭の吸着効率が低下することから、悪臭発生を許容値以下までに抑制するためには多量に添加する必要が在った。また、汚泥脱水ケーキには粘性があるためベルトコンベアーで輸送する際にはベルトに付着し、連続処理において、操作が困難になると言う問題点も有したものであった。
【０００３】
【発明が解決しようとする課題】本発明は、下水汚泥ケーキを取扱う上での障害である悪臭、粘性の問題を解決し、その処理を容易にする方法の提供を目的とする。
【０００４】
【課題を解決するための手段】本発明者は、汚泥ケーキに活性炭及び無機質粉末混合材を混ぜることにより、上記課題である悪臭、粘性の解決されることを見出し、本発明を完成した。
すなわち、本発明は、下水汚泥脱水ケーキ１００質量部に対して活性炭を５〜１００質量部及び、高炉スラグ、石炭灰、石油精製触媒として用いられたゼオライトの廃材、製紙スラッジ燃焼灰よりなる群から選ばれる一種以上の無機質粉末混合材を５０〜４００質量部混合することを特徴とする下水汚泥脱水ケーキ処理方法に関する。
【０００５】
【発明の実施の形態】以下に、本発明を説明する。
本発明は、下水汚泥ケーキに活性炭及び無機質粉末よりなる混合材を添加混合する事を特徴とする。高炉スラグ等の無機質粉末よりなる混合材は、汚泥ケーキに含まれる水の一部を吸着し、活性炭の性能低下を抑制する。また、高炉スラグ添加により、水分の絶対濃度はもとより相対濃度も下がる事から、粘性も低減され下水汚泥ケーキの取扱いが容易になる効果も有する。
【０００６】混合材の添加量は、下水汚泥ケーキ１００質量部に対して５０〜４００質量部の範囲内で、含水量等下水汚泥ケーキの性状に合わせて決定する。混合材添加量が少ないと十分な効果が発現しないし、多すぎると、効果は頭打ちになるのに処理を要する物の量のみが増えることになり好ましくない。
【０００７】本発明において使用可能な混合材は、高炉スラグ、石炭灰、石油精製触媒として用いられたゼオライトの廃材、製紙スラッジ燃焼灰である。これ等は何れも産業廃棄物であり、コストアップに繋がるものではなく、それ自体の処理に困っているものである。これらの混合材は、単独で使用することも可能であるが、２種以上を適宜混合して使用しても差し支えない。なお、石炭灰や製紙スラッジ燃焼灰には未燃カーボンが含まれており、臭気成分の吸着効果が期待できる。また、ゼオライト廃材を使用する場合においても、その吸着特性より、臭気成分の吸着が期待される。
【０００８】活性炭の添加量は、下水汚泥脱水ケーキ１００質量部に対して５〜１００質量部とする。少なすぎると悪臭の発生抑制効果が不十分となり、回りの環境に非常な迷惑を掛ける事になる。一方、多すぎると、処理コストアップに繋がることは勿論、混合材同様、要処理物質量のアップに繋がり好ましくない。
【０００９】活性炭は、一般的な吸着用の市販品が使用可能であるが、有機溶剤蒸気の回収、浄水等の用途に一旦使用し、再生使用が不可能になった廃活性炭の使用も可能であり、この点でも、産業廃棄物の有効利用が可能となる。なお、活性炭は粒状、粉末いずれの形態でも使用可能であるが、粉塵の飛散等の取扱を考慮した場合、粒状品の方が好適に使用できる。
以下では、実施例を示し、本発明を更に詳しく説明する。
【００１０】
【実施例】
（１）試験には次の原材料を使用した。
・高炉スラグ粉：川崎製鉄製、粒径１〜５ｍｍ
・活性炭：上水処理に使用後の廃活性炭、２ｍｍ以下の粒状品
・石炭灰：宇部興産  石炭燃焼自家発電所排出
【００１１】
（２）下水汚泥処理方法
実施例１における操作を代表例として説明する。
下水処理場より発生する下水汚泥脱水ケーキ（水分：７８％）５ｔに高炉スラグ粉（川崎製鉄製、粒径１〜５ｍｍ）を５ｔ加え、ショベル車を用いて良く混合する。その後、上水処理に使用した廃活性炭（２ｍｍ以下粒状品）１．５ｔを加えてショベル車を用いて良く混合し、山状にして静置した。
他の例では、混合材種、混合量を表１に示すものに変えた以外は、実施例１と同様に処理を行った。
【００１２】
（３）脱臭効果の評価
静置後の汚泥混合物の臭いは、混合物の山から２ｍの個所を周回し、評価した。臭いの強さは、表２に示すように、０〜５の６段階を０．５刻みで表し、臭いの不快度は、表３に示すように、０〜−４の５段階を０．５刻みで評価した。ハンドリング性は汚泥混合物のショベルへの付着状況にて評価した。
結果を表１に示す。
【００１３】
【表１】
2005013910.tif 000002
【００１４】
【表２】
2005013910.tif 000003
【００１５】
【表３】
2005013910.tif 000004
【００１６】
【発明の効果】表１に示される様、本発明の方法で、無機質混合材を添加する本発明の簡単な方法で、脱臭剤である活性炭使用量の低減が可能となった。汚泥粘性も低減され、その処理が非常に容易となった。また、混合材、活性炭共に、産業廃棄物が使用出来ることから、処理費用アップに繋がらないだけでなく、深刻化している産業廃棄物処理問題解決の一助にもなる。
従って、本発明の方法は、都市部でその処理が問題となっている下水汚泥ケーキの処理に大きな効果を発揮する。
(57)【要約】【課題】汚染流体と触媒との接触反応を高め、かつ、接触時間も増加することで汚染流体の浄化効果を高めようとする目的。【解決手段】汚染流体に定められた量の粉末状触媒を混入し、これを併流する事と、併流の終段のフイルターで微粉末浮遊粒子までの捕集と浄化。【選択図】  図１
2005013971.tif 000002
【特許請求の範囲】
【請求項１】
汚染流体に粉末状の触媒を定められた含塵濃度で混入し、これを併流させる事により、流体中の汚染物質と触媒との接触反応効果を高める目的の乾式及び湿式の流体浄化装置。
【請求項２】
汚染した流体と併流する触媒が、併流の終段でサイクロンによって、その大部分が分離回収されて、再び併流する管路内に帰還（フイードバック）され、再循環を行う機構の流体浄化装置。
【請求項３】
サイクロンで回収され難い細かい粒子を、最終段のフイルターで捕集し、このフイルターの触媒微粉末コーテング層で、汚染流体の最終浄化と粉塵の捕集を行うことで最も清澄で浄化された流体として排出する機構の流体浄化装置。
【発明の詳細な説明】
【０００１】
【発明の属する技術分野】
本発明は、汚染された流体を浄化する為、粉末状の触媒を汚染した流体に定められた量を混入し、これを併流せしめることによって、均一で効率よく浄化作用を得ようとする流体浄化装置に関するものである。
【０００２】
【従来の技術】
従来の流体（水及び空気等の）浄化装置は、浄化材（剤）と汚染流体との接触時間が短く、殆どの浄化機や装置は、汚染流体が瞬時に浄化材（剤）を通過してしまうので、大きな浄化効果を得る事が難しく、且つ、性能、ランニングコスト、価格の面で問題が多かった。
【０００３】
【発明が解決しようとする課題】
従来の流体浄化装置は、浄化材（剤）をカートリッジにしたり、光触媒を利用するものが多く、この場合、比較的汚染の低い、例えば室内のタバコの煙や臭い及び建材等の有機ガスなどの浄化を目的とするもので、その性能は大きくなかった。
【０００４】
本発明は、局部的に高い濃度で発生する汚染流体を、最も効率良く吸引して、この流体中に粉末状の触媒を定められた含塵濃度で混入し、併流を行わせる事による均一な接触反応効果によって高い浄化力を求める流体浄化装置であります。
【０００５】
【課題を解決するための手段】
上記の目的を達成するために、本発明の流体浄化装置のおいては、ターボブロアーによって、吸入口又は局所集中吸引管から吸引された汚染空気がサイクロンによって、その大部分が吸引管路に帰還（フイードバック）されて再循環を行うことで浄化作用が継続されるもので、サイクロンを通過した微粉末の触媒粒子は、フイルターで捕集される機構で構成され、浄化されて清澄となった流体として排出する事を目的とした流体浄化装置であります。
【０００６】
【発明の実施の形態】
発明の実施の形態を、実施例に基き図面を参照して説明すると、図１において、▲１▼〜▲１１▼迄が流体浄化装置のフローチャート図で、いま汚染流体と併流する触媒の約８０％がサイクロン▲４▼で分離されて吸入管▲３▼に帰還（フイードバック）し、再循環を行う事によって継続して汚染流体の浄化を行うもので、残りの約２０％がフイルター（バッグフイルター）▲６▼にコーテングされる事によって、触媒としての浄化作用の他に、排出される流体の微細な粒子が濾過によって捕集される事によって、物理的な面でも最も清澄な流体として排出させることが出来るミクロン単位の精密なフイルターの役目も併せ持った流体浄化装置であります。
図２は、本発明の実施の一例を示すものです。
【０００７】
【実施例】
本発明を、乾式の空気浄化装置として実施した例に基づき、図面を参照して説明する。実施装置の仕様は、流体浄化装置の外箱▲１▼に納められている夫々の仕様は、風量６ｍ３／ｍｉｎで、静圧が１５０ｍｍＡｇのターボブロアー▲２▼と、内径が６０ｍｍφの吸引管▲３▼及び環状室付全円周渦巻入口型サイクロン▲４▼と、バッグフイルター▲５▼にバッグハウス▲６▼で構成されている主要部分と、吸入口▲７▼、局所集中吸引管▲８▼、吸入口切換弁▲９▼、空気調節弁▲１０▼に粉末状触媒を収納する触媒タンク▲１１▼は１５リッターの収納量で、汚染空気の浄化のため併流用として触媒を送量する場合は、２リッター／ｍｉｎの定量で吸引管▲３▼に送量する機構で、これらの補助機能部分との２部分で構成された装置で実施したものである。
【０００８】
実施の仕様は、汚染空気の吸引量を６ｍ３／ｍｉｎとして、バッグフイルター▲５▼の濾布面積は、充分の余裕を見込んで１５０φ×１，２ｍＬ（濾布面積＝０，５６５ｍ２）×８本＝４，５２ｍ２の濾布面積として、この面積のコーテング量は、コーテングの最低の厚さを２ｍｍとすると、０，２ｃｍ×４，４２ｍ２＝１０，４リッターとなり、管路内の含塵濃度を吸引空気量６ｍ３／ｍｉｎの１／３０００＝２リッター／ｍｉｎの触媒の併流濃度となるので、触媒タンク▲１１▼の触媒充填量をコーテング量１０，４リッター＋併流用の２リッター／ｍｉｎの計１２，４リッターを１分間管路内に送量して、汚染空気を併流浄化する態勢とした。
【０００９】
実施の試験方法として、吸入口▲７▼から１０％アンモニア水を噴霧容器に入れ、１回に０，０１ｃｃ位の噴霧量を連続して３回噴霧を行った。
この高い濃度のアンモニア臭は、余りにも鼻に「ツン」とくる臭気で、とても嗅んで居られない強さの臭気であった。
【００１０】
【発明の効果】
この結果、上記の臭んで居られないほどの強さのアンモニア臭も、バッグハウス▲６▼の排気口からは感じられなかったので、鼻に自信の有る５人による官能試験を数回に亘って行った結果、全員がアンモニア臭を感じなかった。
【図面の簡単な説明】
【図１】本発明を実施した１例の空気浄化装置。
【図２】本発明の空気浄化装置を病人の排泄の始末時の臭気局所集中吸引浄化の実施を示す１例。
【符号の説明】
１、  流体浄化装置の外箱
２、  ターボブロアー
３、  吸引管
４、  サイクロン
５、  バッグフイルター
６、  バッグハウス
７、  吸入口
８、  局所集中吸引管
９、  吸入口切換弁
１０、空気調節弁
１１、触媒タンク
１２、局所遮蔽フード
１３、病人用ベット
【図１】
2005013971.tif 000003
【図２】
2005013971.tif 000004
(57)【要約】【課題】この発明は、廃棄した発泡スチロール破砕機において一軸式破砕の簡単構造にし、破砕時間の短縮と製造コストの低減を図る発泡スチロールの破砕機を提供する。【解決手段】ケーシング（１）の下部に回転羽根（２）と破砕板（５）を配設する。回転羽根（２）は回転軸（３）の長手方向中央を基点に両側へ左右対称に、回転軸（３）の円周方向に対して適度に角度を時計の回転方向にずらして複数枚を取付け、その回転羽根（２）の先端には爪（４）を取付ける。又、破砕板（５）は回転羽根（２）の間、間に設置した構造である。【選択図】図１
2005013978.tif 000002
【特許請求の範囲】
【請求項１】
ケーシング（１）の下部に回転羽根（２）と破砕板（５）を配設し、回転羽根（２）は回転軸（３）の長手方向中央を基点に両側へ左右対称に、回転軸（３）の円周方向に対して適度に角度を時計の回転方向にずらして複数枚を取付けて、その回転羽根（２）の先端には爪（４）を取付けるが又、一方において破砕板（５）は回転羽根（２）の間、間に設置した構造であることを特徴とする発泡スチロールの破砕機。
【発明の詳細な説明】
【０００１】
【発明の属する技術分野】
本発明は廃棄した発泡スチロールの容器等を破砕して再利用する為の発泡スチロール破砕機に関するものである。
【０００２】
【従来の技術】
従来の発明品は、廃棄の発泡スチロールを破砕する機械において、破砕方式が二軸式のもので、それが相反して内側に回転しながら破砕するものある。
【０００３】
【発明が解決しようとする課題】
従来の様な欠点としては
イ、発泡スチロールの破砕に時間が掛り過ぎること。
ロ、機械の構造が複雑な為、製造コストが高い。
これらの欠点を解決する為に発明をした。
【０００４】
【発明を解決するための手段】
ケーシング（１）の下部に回転羽根（２）と破砕板（５）を配設する。回転羽根（２）は回転軸（３）の長手方向中央を基点に両側へ左右対称に、回転軸（３）の円周方向に対して適度に角度を時計の回転方向にずらして複数枚を取付け、その回転羽根（２）の先端には爪（４）を取付ける。
又、破砕板（５）は回転羽根（２）の間、間に設置した構造である。
【０００５】
【発明の実施の形態】
本発明の実施形態を説明すると、ケーシング（１）は四角立方体の形状をし、下部には三方湾曲形状の回転羽根（２）と棒状の破砕板（５）が配設されている。
回転軸（３）はケーシング（１）を介し軸受（６）で固定し又、モーター（図示なし）が連結している。
回転羽根（２）は回転軸（３）の長手方向中央を基点に両側へ左右対称に各６枚（中央より外側へＮＯ１〜６へと配置）を設け、回転軸（３）の円周方向に対して、三方湾曲形状の回転羽根（２）の１２０角度内に、６枚を２０度づつ時計の回転方向にずらして（図４参照）取付けている。
そして、回転羽根（２）の三方湾曲形状の先端には小さな駒状の爪（４）を溶着している。
又、破砕板（５）はケーシング（１）に上下を溶着しているが、回転羽根（２）が貫通できる間隙を置いて、回転軸（３）の後側に位置して設けている。
尚、ケーシング（１）を傾斜させ、その底部に飛散した発泡スチロールの粒子片を回転羽根（２）の吸引力で引込む構造である。
この構造の使用方法は、投入口（７）へ廃棄の発泡スチロールを投入するとモーターで回転する回転羽根（２）とその先端の爪（４）により発泡スチロールを引込み、破砕板（５）下部の前面に当たり引裂かれて大部分が小片に破砕されるが、一部が回転羽根（２）に巻上げられて破砕板（５）上部の後面に当たり再破砕され効率的である。破砕された発泡スチロールは出口（８）から落下する。
【０００６】
【発明の効果】
本発明の使用効果としては、
（１）回転羽根の形状が湾曲しており、その先端に爪がある為、投入の発泡スチロールを容易に引込み破砕時間を短縮する。
（２）回転羽根がずれている為、投入された発泡スチロールが平均的に破砕されること。かつ、破砕板の後面で再破砕されるので廃棄発泡スチロールの破砕時間が早い（サイズ幅２０ｃｍ×長さ４０ｃｍ×高さ１０ｃｍ：５秒）。
（３）破砕板の間隔が小さいので細かく破砕できる（３立方ｃｍ以下）。
（４）回転羽根がずれているのでモーターに負荷が一度に掛らず分散されるのでモーター容量が小さくて済む。
（５）一軸式構造で簡単な為、製造コストが安く出来る。
以上、４点の効果がある。
【図面の簡単な説明】
【図１】本発明の正面図
【図２】本発明のＡ〜Ａ’矢視図
【図３】本発明の単独回転羽根及び爪の斜視図
【図４】本発明の回転羽根ずれの右側部を外側より見たる説明図
【符号の説明】
１  ケーシング
２  回転羽根
３  回転軸
４  爪
５  破砕板
６  軸受
７  投入口
８  出口
【図１】
2005013978.tif 000003
【図２】
2005013978.tif 000004
【図３】
2005013978.tif 000005
【図４】
2005013978.tif 000006
(57)【要約】【課題】槽内の異常増水時においても２台のポンプを必要とすることなく１台のポンプで対応できて設備を大型化することなく、且つ配線および配管系統の複雑化することなくローコストに実施し得る、設備用排水ポンプの運転制御方法を提供する。【解決手段】１台の排水ポンプで排水作業を行うについて、ポンプ３の回転速度を制御するインバータ４と、槽内の水位を検出する水位検出器２とを併用し、インバータ４によりポンプを定格回転速度よりも低速度で省エネルギー運転させ、槽内への異常増水による水位上昇時には水位検出器２の検出信号をインバータ４に入力することにより、排水量が増大されるようポンプ３を定格回転速度まで増速しパワーアップ運転させる。【選択図】        図１
2005013912.tif 000002
【特許請求の範囲】
【請求項１】
１台の排水ポンプで排水作業を行うについて、ポンプの回転速度を制御するインバータと、槽内の水位を検出する水位検出器とを併用し、インバータによりポンプを定格回転速度よりも低速度で省エネルギー運転させ、槽内への異常増水による水位上昇時には水位検出器の検出信号をインバータに入力することにより、排水量が増大されるようポンプを定格回転速度まで増速しパワーアップ運転させることを特徴とする、設備用排水ポンプの運転制御方法。
【発明の詳細な説明】
【０００１】
【発明の属する技術分野】
本発明は、設備用排水ポンプの運転制御方法に関し、例えば汚水処理施設における流量調整槽から処理槽へ廃水を移送する場合等に適用して有効な制御方法である。
【０００２】
【従来の技術】
設備用排水ポンプでは一般に、槽内への異常増水時を想定して２台設置されており、通常は２台のポンプを交互に１台ずつ運転させ、槽内への異常増水が検出されたときには２台のポンプを同時に運転させることで対応している（例えば、特許文献１参照）。
【０００３】
【特許文献１】
特開平６−２４１１９０号公報  （第１図）
【０００４】
【発明が解決しようとする課題】
特許文献１に示されているように２台のポンプを設置することは、設備の大型化、配線および配管系統の複雑化を招き、コストアップにつながることになる。
【０００５】
本発明の目的は、上述の課題を解決して、槽内が通常水位の場合にはポンプを省エネルギー運転させ、異常増水時の場合には１台のポンプで対応できるよう増速しパワーアップ運転させることにより、設備を大型化することなく、且つ配線および配管系統の複雑化することなく、ローコストに実施し得る、設備用排水ポンプの運転制御方法を提供することにある。
【０００６】
【問題を解決するための手段】
本発明に係る設備用排水ポンプの運転制御方法では、１台の排水ポンプで排水作業を行うについて、ポンプの回転速度を制御するインバータと、槽内の水位を検出する水位検出器とを併用し、インバータによりポンプを定格回転速度よりも低速度で省エネルギー運転させ、槽内への異常増水による水位上昇時には水位検出器の検出信号をインバータに入力することにより、排水量が増大されるようポンプを定格回転速度まで増速しパワーアップ運転させる。
【０００７】
【発明の実施の態様】
以下本発明の実施の態様を図１ないし図３により説明をする。
【０００８】
１は例えば家庭等から排出されて来る廃水を一時貯留するための槽であって、汚水処理施設において流量調整槽と呼ばれているものである。２は槽１内の水位を検出する水位検出器、３は槽１内から例えば次工程の処理槽（図示せず）へ廃水を移送するためのポンプ、４はポンプ３の回転速度を制御するインバータである。そしてポンプ３は省エネルギーを目的として前記インバータ４により定格回転速度よりも低速度で運転させ、槽１から例えば次工程の処理槽へ廃水が移送されることになる。
【０００９】
しかし水位検出器２により槽１内が異常増水により水位上昇したことを検出すると、その検出信号が水位検出器２の信号変換器６を介してインバータ４に入力されることにより、ポンプ３の回転速度を定格回転速度まで増速修正して吐出量が増大するようポンプ能力を高めたパワーアップ運転を行ない、槽１内が通常水位となるまで緊急排水が行われることになる。そして槽１内への異常増水状態が解消されことを水位検出器２が検出するに至れば再びポンプ３の回転速度を定格回転速度よりも低速度に減速修正して通常の省エネルギ運転に復帰させる。
【００１０】
図３に示されるよう、本発明の省エネルギー運転と同一特性の従来ポンプを１台運転しているときの吐出量がＱ１、従来の制御方法において同一能力のポンプを２台運転したときの吐出量がＱ２であるのに対して、本発明のポンプ１台で増速によるパワーアップ運転したときの吐出量はＱ３となる。このように従来の同一能力のポンプを２台設置した方式よりも、１台のポンプを増速によるパワーアップ運転させた本発明方法の方がむしろ大きな吐出量となる。
【００１１】
【発明の効果】
本発明設備用排水ポンプの運転制御方法によれば、槽内が通常水位の場合にはポンプを省エネルギー運転させ、異常増水の場合には１台のポンプで対応できるよう増速しパワーアップ運転させることにより、設備を大型化することなく、且つ配線および配管系統の複雑化することなく、ローコストに実施し得るという利点がある。
【図面の簡単な説明】
【図１】本発明におけるシステム構成図である。
【図２】本発明におけるポンプの運転フロー図である。
【図３】本発明と従来のポンプ運転制御方法とのポンプ運転水量との関係を示した線図である。
【符号の説明】
１      槽
２      水位検出器
３      ポンプ
４      インバータ
【図１】
2005013912.tif 000003
【図２】
2005013912.tif 000004
【図３】
2005013912.tif 000005
(57)【要約】      （修正有）【課題】ＳＡＲＳ等の高熱に弱いウイルスから感染することを防止する。【解決手段】フィルタ１にバッテリによる電熱や、還元鉄粉が入ったパックを取り付けることで、熱発生部を形成し、加熱空気を発生させる。【選択図】図１
2005013494.tif 000002
【特許請求の範囲】
【請求項１】
マスク内又は外に高熱発生部を設けた事を特徴とするＳＡＲＳ等用マスク。
【発明の詳細な説明】
【０００１】
【発明が属する技術分野】
本発明はＳＡＲＳ等の流行性ウィルス防止マスクに関する。
【０００２】
【従来の技術】
従来の流行性ウィルス防止マスクでは空気感染のみを防ぐという発想しかなく、空気感染するが高熱に弱いウイルスのために使用するという発想はなく、それに対する工夫も無かった。
【０００３】
【発明が解決しようとする課題】
本発明は、高熱に弱い新型空気感染型ウイルスから感染するのを防ぐことを目的としている。
【０００４】
【課題を解決するための手段】
マスクの内または外に高熱発生部を設ける。
【０００５】
【発明の実施の形態】
本発明を以下図面に基づき説明する。
図１は本発明の実施例であり、フィルタ１の内部の口ヒゲの位置に熱発生部２を設けたマスクで、耳で保持するものである。加熱空気７が鼻に吸引される。図２はフィルタ１の外部に熱発生部２を設けた例である。熱発生部２はバッテリによる電熱や図３に示すようにフィルタ１の外に袋３を設け、その中に酸化していない還元鉄粉が入ったパック４を入れる。この鉄粉の入ったパック４は４０℃を９時間ほど保持できるものなどを利用し、袋３に入れる前に開封するか、もむなどして空気中の酸素で酸化して発熱させ、袋３に入れる実施例である。熱気流７はフィルターを通じ鼻に達する。又、図４の如くマスクの内側に袋をつけてもよい。図５の如く発熱体位置を口ヒゲや図６のようにアゴヒゲ位置でも良い。これにより軽量で小さく電源も必要なく、いつでも身につけられるので便利である。
【０００７】
図７はフィルタ１にパイプ６を設け、別に電熱等による熱発生部５からの熱空気をパイプ６で熱伝導させ、マスクに熱を送る本発明実施例である。
【０００８】
図８はフィルタ１の中に還元鉄粉が入ったパック４を入れた正面図であり、図９は上から見た断面図である。
【０００９】
図１０は酢酸ナトリウムと水が入ったパックの正面図で、図１１は上から見た断面図である。これを還元鉄粉が入ったパック４の代りにフィルタの中に入れるのも本発明に含まれる。
【発明の効果】
ＳＡＲＳの防止は本発明者が医学博士として医学的に研究、実験の結果、熱により死滅させることを発明した。本発明は本発明者の研究の成果である。
本発明は上記のように、いままでの携帯マスクでは防ぐのが難しいＳＡＲＳ等の新型ウィルスから感染を防ぐ事ができる。
【図面の簡単な説明】
【図１】本発明実施例内熱式側面図
【図２】同上外熱図
【図３】同上外鉄粉袋式
【図４】同上内鉄粉袋式
【図５】本発明実施例口ヒゲ位置発熱体式
【図６】本発明実施例アゴヒゲ位置発熱体式
【図７】本発明別熱源式実施例
【図８】本発明鉄粉袋式正面図
【図９】本発明鉄粉袋式断面図
【図１０】酢酸ナトリウムと水が入ったパックの正面図
【図１１】酢酸ナトリウムと水が入ったパックの上から見た断面図
【符号の説明】
１  フィルタ
２，５  熱発生部
３  鉄粉を入れる袋
４  鉄粉
６  熱伝導パイプ
７            熱気流
【図１】
2005013494.tif 000003
【図２】
2005013494.tif 000004
【図３】
2005013494.tif 000005
【図４】
2005013494.tif 000006
【図５】
2005013494.tif 000007
【図６】
2005013494.tif 000008
【図７】
2005013494.tif 000009
【図８】
2005013494.tif 000010
【図９】
2005013494.tif 000011
【図１０】
2005013494.tif 000012
【図１１】
2005013494.tif 000013
(57)【要約】【課題】本発明はゴルフシューズ用のスパイク及びこれを装着したゴルフシューズに関するものであり、またプレイ中にスパイクが抜け落ちることのないゴルフシューズに関するものである。【構成】反時計回りに回転させることにより締まる方向にネジが切ってあるスパイク、及び右足用のゴルフシューズの前半部の少なくとも一部に前記のスパイクを装着したゴルフシューズ。【選択図】        図１
2005013424.tif 000002
【特許請求の範囲】
【請求項１】
ネジ込み式のゴルフシューズ用スパイクであって、該スパイクのネジが、反時計回りに回転させることにより締まる向きに切ってあることを特徴とするゴルフシューズ用スパイク。
【請求項２】
ゴルフシューズであり、その右足の前半部の少なくとも一部に、反時計回りで締まる向きにネジを切ってあるスパイクを装着したことを特徴とする、ゴルフシューズ。
【発明の詳細な説明】
【０００１】
【発明の属する技術分野】
本発明はゴルフシューズ用のスパイク及びこれを装着したゴルフシューズに関するものであり、さらに詳しくは、プレイ中にスパイクが抜け落ちることのないゴルフシューズに関するものである。
【０００２】
【従来の技術】
ゴルフシューズには、スイングの際の足元を確保するために、つま先から踵にかけての裏面にスパイクが複数個設けてある。従来は、このスパイクとしては先端のとがった金属製のスパイク（鋲）を使用していたが、近年は、フェアウェイやグリーンの芝を傷めないように、プラスチックや硬質ゴム製の、いわゆるソフトスパイクを使用することをプレイヤーに要請するゴルフコースが多くなってきた。
【０００３】
これらの樹脂製のソフトスパイクは、芝生を傷めないように接地面積を大きくしてあるので、プレイヤーが知らないうちに、靴の裏からしばしば脱落するという不具合があった。これらの欠点を改良するために、いくつかの提案がされている。たとえば、スパイクの雄ネジをネジ込む際に雌ネジが塑性加工され、雄ネジと雌ネジが緊密に嵌合するようにしたもの（特許文献１）、あるいはソールとフランジの係合部に傾斜突起を設けて着脱を容易にしたもの（特許文献２）等がある。
【０００４】
【特許文献１】
特開２００２−３３６００７号公報
【特許文献２】
特開２００２−３２５６０５号公報
【０００５】
【発明が解決しようとする課題】
しかしながら、このようなものでもなお、ソフトスパイクを装着したゴルフシューズは、プレイ中に知らない間にスパイクが抜け落ちるという不具合がしばしば生じていた。このことは、特に右利きプレイヤーにおいては右足つま先部において多く見られた。発明者はこのことを考究した結果、以下の現象に思い至り、本発明をなすに到った。
【０００６】
【課題を解決するための手段】
すなわち、ソフトスパイクは、フェアウェイやグリーンの芝を傷めないように、接地面積を広くする必要があり、そのため直径を大きくしてある。このため、たとえば右利きのプレイヤーがスィングをすると、右足のつま先は地面に対して反時計回りに捻る動きをする。このため、つま先部位のスパイクが従来どおりの右ネジ（時計回りの回転で締まる）に切ってあると、スィングの度ごとにスパイクとシューズの間にはスパイクのネジが緩む方向の力が働き、ついにはスパイクが脱落してしまうのである。従来のスパイクのネジは全て右ネジ（時計回りの回転で締まる）に切ってあるので、右利きプレイヤーにおいては右足つま先部において多くこの問題が見られたのである。
【０００７】
そこで、本発明においては、スパイクのネジが、反時計回りに回転させることにより締まる向きに切ってあるゴルフシューズ用スパイクを、ゴルフシューズ、とくにその右足の前半部の少なくとも一部に装着することにより、プレイ中のスパイクの脱落が防止されることを見出し、上記の課題を解決した。
【０００８】
すなわち、本発明は、ネジ込み式のゴルフシューズ用スパイクであって、該スパイクのネジが、反時計回りに回転させることにより締まる向きに切ってあることを特徴とするゴルフシューズ用スパイクを提供するものである。
また本発明は、ゴルフシューズであり、その右足の前半部の少なくとも一部に、反時計回りで締まる向きにネジを切ってあるスパイクを装着したことを特徴とする、ゴルフシューズを提供するものである。
【０００９】
【発明の実施の形態】
本発明においては、右足用ゴルフシューズの前半部の少なくとも一部のスパイクのネジが、反時計回りに回転させることにより締まる向きに切ってあることを特徴とする。ここで前半部の少なくとも一部とは、土踏まずから先の部分を言い、シューズの先端部や、拇指丘部をこれに包含することは有効である。
ゴルフのスイングには個人のくせがあり、必ずしも一様ではないが、右足用シューズの先端部で捻る人や、拇指丘部で捻る人が大多数であるので、これらの部位でスパイクが脱落し易い部分に本発明のスパイクを装着することは効果的である。
【００１０】
スイングの際に、地面に対して捻り摩擦が生じないか、または回転による摩擦が少ない土踏まずから後の部分のスパイクは、どちらの方向にネジが切られていてもよい。
【００１１】
ここでスパイクのネジとは、スパイクに装着されているネジが雄ネジであっても、雌ネジであってもよい。通常の市販品は雄ネジの物が多いが、まれに雌ネジの物もある。いずれにしても、反時計回りに回転させることにより締まる向きにネジ切ってあることが必要である。
【００１２】
また本発明のスパイクは、樹脂製のソフトスパイクに限らず、金属製のスパイクであってもネジ込み式のものであれば利用可能であることは勿論である。
【００１３】
図１において、１は本発明の反時計回りに回転させることにより締まる向きに切ってあるネジを有するソフトスパイクの一例を示し、２はネジ部を示す。
図２はこのネジ込み式スパイクを装着した右利きゴルファーの右足用のゴルフシューズの裏面を示す図である。
【００１４】
図１において、ネジ部２は反時計回りに回転させることにより締まる向きに切ってあることが特徴であり、従来のソフトスパイクのネジとは全く反対方向にネジが切ってある。
図２において、右足用のゴルフシューズの裏面の前半部の少なくとも一部、例えば土踏まずから前の部分のスパイクの一部は、本願発明の反時計回りに回転させることにより締まる向きに切ってあるネジを有するソフトスパイクであることが好ましく、少なくとも拇指丘部より前、さらには少なくとも最先端部は、本願発明のソフトスパイクであることが好ましい。
【００１５】
【発明の効果】
本発明のゴルフシューズは、上記のような構成のスパイクを備えているので、スィングの際の右足の捻りにより、スパイクは常にネジが締まる方向の力を受け、決して緩むことがない。
【図面の簡単な説明】
【図１】本発明の反時計回りに回転させることにより締まる向きに切ってあるネジを有するソフトスパイクの一例を示す図である。
【図２】本発明のソフトスパイクを装着した右足用ゴルフシューズの裏面を示す図である。
【符号の説明】
１  ソフトスパイク
２  ネジ部
３  右足用ゴルフシューズの裏面
４  ソフトスパイク
【図１】
2005013424.tif 000003
【図２】
2005013424.tif 000004
(57)【要約】【課題】物理的に鼻腔中に気道を確保して呼吸を楽に行なうことができるようにした睡眠時無呼吸症候群の治療器具を提供することである。【解決手段】中空円筒体２の一端にストップカラー３を設け、中空円筒体２の外周面２ａの一部を膨出させ、この膨出部から両端に向って小径となるようにし、この中空円筒体２を鼻孔Ｎから鼻腔内に挿入可能としたのである。【選択図】  図４
2005013415.tif 000002
【特許請求の範囲】
【請求項１】
中空円筒体の一端にストップカラーを設け、中空円筒体の外周面の一部を膨出させ、この膨出部から両端に向って小径となるようにし、前記中空円筒体を鼻孔から鼻腔内に挿入可能とした睡眠時無呼吸症候群の治療器具。
【請求項２】
前記中空円筒体の内周面が外周面とほぼ相似形である請求項１に記載の睡眠時無呼吸症候群の治療器具。
【請求項３】
前記外周面に多数の小突起を設けた請求項１又は２に記載の睡眠時無呼吸症候群の治療器具。
【請求項４】
前記中空円筒体の最大内径を約９ｍｍ〜１５ｍｍ、外周面の最大外径を約１０〜１６ｍｍ、中空円筒体の長さを約２０ｍｍ〜３０ｍｍとした請求項１〜３のいずれかに記載の睡眠時無呼吸症候群の治療器具。
【発明の詳細な説明】
【０００１】
【発明の技術分野】
この発明は、睡眠時無呼吸症候群の治療に用いる器具に関する。
【０００２】
【従来の技術】
上記のような無呼吸症候群の原因は、仰臥して睡眠中に鼻腔内が閉鎖されて異常呼吸が生じるとされ、ほとんど肥満によるものとされている。この治療には、例えば睡眠中に酸素吸入を行なったり、睡眠薬を用いる方法がある。前者は酸素ボンベや吸入器が必要であり入院しなければならず、家庭での治療はできない。また後者は常用性や副作用の心配がある。
【０００３】
【発明の課題】
そのため、鼻梁に粘着剤層を設けたテープを貼り付けて、鼻腔を拡大することも行なわれているが充分な効果が上っていない。
【０００４】
そこで、この発明の課題は、物理的に鼻腔内に気道を確保して呼吸を楽に行なうことができるようにした治療器具を提供することである。
【０００５】
【課題の解決手段】
上記の課題を解決するために、この発明においては、中空円筒体の一端にストップカラーを設け、中空円筒体の外周面を中央部から両端に向って小径となるようにし、前記中空円筒体を鼻孔から鼻腔内に挿入可能としたのである。また、中空円筒体の内周面を外周面とほぼ相似形にしておくのが好ましい。さらに、外周面に多数の小突起を設けておくことが好ましい。
【０００６】
前記中空円筒体の最大内径を約９ｍｍ〜１５ｍｍ、外周面の最大外径を約１０〜１６ｍｍ、中空円筒体の長さを約２０ｍｍ〜３０ｍｍとするのが好ましい。
【０００７】
【実施の形態】
以下、この発明の実施形態を添付図面に基づいて説明する。図１及び図２に示すように、治療器具１は、中空円筒体２の一端にストップカラー３を設けたものであって、前記中空円筒体２の外周面２ａは、ほぼ太鼓状に膨らんだ形状になっており、内周面２ｂも外周面２ａとほぼ相似形をなし、従って中空円筒体２の胴部の厚みはほぼ均一になっている。
【０００８】
前記中空円筒体２の外周面２ａの膨出部は、必ずしも中央部でなくてもよく、図３に示すように先端付近に設けてもよい。この場合にも内周面２ｂを外周面２ａとほぼ相似形にしておく。また、外周面２ａ全面に多数の小突起４を設けておくのがよい。
【０００９】
前記中空円筒体２の外周面２ａの最大外径Ａは、約１０〜１６ｍｍ、内周面２ｂの最大内径Ｂは約９ｍｍ〜１５ｍｍ、長さＣは約２０ｍｍ〜３０ｍｍとし、数種類のサイズを揃えておくのが好ましい。また、材料は、シリコーン樹脂、ポリプロピレン、ポリエチレン等の合成樹脂が好ましいが、硬質ゴムや木、金属などでもよい。
【００１０】
上記治療器具１を用いる場合には、図４に示すように、就眠時に両方の鼻孔Ｎから鼻腔内に一対の治療器具１を挿入する。これによって、中空円筒体２の外周面２ａで鼻腔内が押し拡げられ、かつ内周面２ｂが空気通路となって、呼吸困難に陥るのを防止することができる。また、ストップカラー３は中空円筒体２が鼻腔内に陥り込むのを防止する。さらに中空円筒体２の外周面２ａに膨出部が設けられているので、中空円筒体２が鼻孔Ｎから抜け出るのも防止する。
【００１１】
【発明の効果】
この発明によれば、以上のように、中空円筒体を鼻腔内に挿入するだけで気道を強制的に確保できるようにしたので、極めて簡単な操作で何時でも何処でも治療器具を用いることができ、簡便に治療効果をあげることができる。
【００１２】
また、治療器具の構造が簡単であるため、費用の負担が極めて少ない。
【図面の簡単な説明】
【図１】この発明の治療器具の一例を示す正面図
【図２】治療器具の縦断面図
【図３】治療器具の他の例を示す縦断面図
【図４】治療器具の使用例を示す側面模式図
【符号の説明】
１  治療器具
２  中空円筒体
２ａ  外周面
２ｂ  内周面
３  ストップカラー
４  小突起
Ａ  外周面の最大外径
Ｂ  内周面の最大内径
Ｃ  中空円筒体の長さ
Ｎ  鼻孔
【図１】
2005013415.tif 000003
【図２】
2005013415.tif 000004
【図３】
2005013415.tif 000005
【図４】
2005013415.tif 000006
(57)【要約】【課題】乳幼児用のマットや敷布団の上に被せて当該マットや敷布団の汚れを防止するシーツの上で、乳幼児が種々の遊びをすることができるようにして、乳幼児の知的な生育を促すことができるシーツを提供する。【解決手段】乳幼児用の敷布団ないしマットに覆着されるシーツであって、当該シーツの表面に着脱自在な係止具４により複数種の玩具２ａ、２ｂ・・・が係止されている。係止具４は、基端を玩具２ａ、２ｂ・・・に縫着ないし接着したリボン３の先端部に取付けるのが好ましい。乳幼児用の敷布団やマットなどに被せることにより、その上で乳幼児が係止された玩具２ａ、２ｂ・・・で遊ぶことができる。【選択図】      図１
2005013417.tif 000002
【特許請求の範囲】
【請求項１】
乳幼児用の敷布団ないしマットに覆着されるシーツであって、当該シーツの表面に着脱自在な係止具（４）により複数種の玩具（２ａ，２ｂ）・・・が係止されている、玩具付きシーツ。
【請求項２】
各玩具（２ａ，２ｂ）・・・は、基端を当該玩具に縫着ないし接着されたリボン（３）を備え、前記係止具が当該リボンの先端部に取付けられている、請求項１記載の玩具付きシーツ。
【請求項３】
乳幼児用の敷布団ないしマットに覆着される布製のシーツ本体（１）と、このシーツ本体の適宜箇所に縫着ないし接着された係止具（５）と、当該係止具によってシーツ本体に着脱自在に係止される複数種類の玩具（２ａ，２ｂ）・・・との組よりなる、玩具付きシーツ。
【発明の詳細な説明】
【０００１】
【発明が属する技術分野】
この発明は、敷布団ないしマットなどに覆着して用いるシーツに関するもので、特に乳幼児用の敷布団やマットに覆着するシーツに関するものである。
【０００２】
【従来の技術】
寝具やその上で遊ぶためのマットが汚れるのを防止し、清潔な環境を保持するために、敷布団やマットにシーツを覆着することが行われている。この目的で用いられている従来の乳幼児用シーツは、各種の模様を印刷したものはあるが、遊びの要素を備えたものがなく、敷布団やマットの汚れ防止機能を備えているに過ぎないものであった。
【０００３】
【発明が解決しようとする課題】
この発明は、乳幼児用のマットや敷布団の上に被せて当該マットや敷布団の汚れを防止するシーツの上で、乳幼児が種々の遊びをすることができるようにして、乳幼児の知的な生育を促すことができるシーツを提供することを課題としている。
【０００４】
【課題を解決するための手段】
上記課題を解決するため、この発明では、乳幼児用のマットないし敷布団の上に被せて係止されるシーツであって、当該シーツの表面に知育的要素が盛り込まれた複数の取外し可能な玩具の付いたシーツを提案している。
【０００５】
すなわち、本願請求項１の発明に係るシーツは、乳幼児用の敷布団ないしマットに覆着されるシーツであって、当該シーツの表面に着脱自在な係止具４により複数種の玩具２ａ、２ｂ・・・が係止されている玩具付きシーツである。
【０００６】
また本願請求項２の発明は、上記構造を備えた玩具付きシーツにおいて、係止具４が、基端を玩具２ａ、２ｂ・・・に縫着ないし接着したリボン３の先端部に取付けられていることを特徴とするものである。
【０００７】
本願請求項３の発明に係るシーツは、乳幼児用の敷布団ないしマットに覆着される布製のシーツ本体１と、このシーツ本体の適宜箇所に縫着ないし接着された係止具５と、当該係止具によってシーツ本体に着脱自在に係止される複数種類の玩具２ａ、２ｂ・・・との組よりなる、玩具付きシーツである。
【０００８】
玩具は、鳴き笛、鏡、素材の異なる布片、鈴、ぬいぐるみのマスコットなどで、乳幼児が興味を引くこの種の複数種の玩具２ａ、２ｂ・・・を、スナップやベルクロ、面ファスナーなどの係止具４により、シーツ本体１に取付け、乳幼児用の敷布団やマットなどに被せることにより、シーツ本来の機能と共に、乳幼児がその上で遊ぶことができるようにしたものである。
【０００９】
【発明の実施の形態】
図１はこの発明のシーツの一例を示した斜視図である。図中、１は布製のシーツ本体で、適宜背景となるプリント模様１１を設けたものを用いている。また、表面が滑らかな素材で形成したアップリケ１２などを取付けて、シーツ本体にも装飾模様を付している。
【００１０】
２ａないし２ｆは、シーツ本体１に着脱自在に取付けられた玩具で、２ａは小型の鏡、２ｂは鈴を封入した布片、２ｃは鳴き笛を封入した袋、２ｄは２枚の布片の間にフィルムなどを挟み込んで触るとカサカサ音が出るようにした玩具、２ｅは動物の形などをした柔らか素材の玩具、２ｆはぬいぐるみのマスコットである。これらの玩具２ａ、２ｂ・・・には、短冊状の布片（リボン）３の一端が縫着ないし接着され、その先端部にスナップやベルクロなどの係止具４が縫い付けてある。一方、シーツ本体にもリボンに取付けた係止具４と係合する係止具５の複数個が適宜な箇所に縫着してある。
【００１１】
玩具２ａ、２ｂ・・・は、シーツ本体１に取外し自在に装着されているので、これらを取外してシーツや玩具を洗濯することができ、またそれぞれの玩具２ａ、２ｂ・・・は、個別に取外して持ち運ぶことができる。特に図に示した玩具２ａ、２ｂ・・・には、布製のリボン３が付いていることから、取外した玩具をこのリボンの部分でベビーカーなどに取付けることもできる。
【００１２】
例えばリボン３の基端裏側にも係止具を設けておけば、図２に示すように、リボン３をループにすることができ、取外した玩具２ａのベビーカーやベビーサークルへの着脱が簡単な操作で可能になる。
【００１３】
玩具２ａ、２ｂ・・・やシーツ本体１が汚れたときは、玩具２ａを取外して洗濯機で丸洗いが可能であり、常に衛生を保つことができる。
【００１４】
敷布団やマットへのシーツの取付けは、図３（ａ）、（ｂ）に示すような従来構造を採用することができる。ここで図３（ａ）は、バンドや紐６などによる取付例を示したもので、両端をシーツ本体１に縫着した斜めのバンドや紐６などをシーツの四隅に設けておき、当該バンドや紐６を布団やマット７の四隅に掛けて装着する構造である。また、図３（ｂ）は、シーツ１の縁に通したゴム紐８などによって取付けた例を示したもので、シーツ１の周辺に沿ってゴム紐８を縫い付け、当該ゴム紐８の張力によって布団又はマット７を包み込むようにして固定する構造である。
【００１５】
【発明の効果】
この発明のシーツには、種々の素材を使ったいろいろな種類の玩具を適宜交換して取付け取外しすることができ、乳幼児の視覚、聴覚、触覚などを刺激し、乳幼児の健やかな生育を促すことができるという効果がある。
【図面の簡単な説明】
【図１】この発明のシーツの一実施例を示す斜視図
【図２】取外してリボンをループにした玩具の１つを示す正面図
【図３】布団やマットへの取付構造の例を示した斜視図
【符号の説明】
１  シーツ本体
２ａ〜２ｆ  玩具
３  リボン
４  係止具
５  係止具
【図１】
2005013417.tif 000003
【図２】
2005013417.tif 000004
【図３】
2005013417.tif 000005
(57)【要約】【課題】うまみ成分であるグルタミン酸の胚芽中の含有量を維持しつつ発芽玄米を製造する。【解決手段】洗浄した玄米を、該玄米の総重量の０．１〜１％のＬ−グルタミン酸を含有させた３０〜３４度の溶液中に４〜２２時間浸漬して発芽させ、次にかかる発芽玄米を脱水処理した後、約１２０度で含水率が約１０％になるまで焙煎処理して焙煎済発芽玄米とする。発芽玄米の浸漬時における水分吸収に伴い溶液中のＬ−グルタミン酸も吸収されて、γ−アミノ酪酸の合成で減少したグルタミン酸が補充されて含有量が維持されると共に、γ−アミノ酪酸の含有量も増量される。【選択図】        図１
2005013029.tif 000002
【特許請求の範囲】
【請求項１】
洗浄した玄米を、該玄米の総重量の０．１〜１％のＬ−グルタミン酸を含有させた３０〜３４度の溶液中に４〜２２時間浸漬して発芽させ、次にかかる発芽玄米を脱水処理した後、約１２０度で含水率が約１０％になるまで焙煎処理する様にしたことを特徴とする発芽玄米の製造方法。
【発明の詳細な説明】
【０００１】
【発明の属する技術分野】
本発明は、うまみ成分であるグルタミン酸を多く含んだ美味しい発芽玄米を製造する方法に関する。
【０００２】
【従来の技術】
玄米の発芽時には、酵素の作用によりグルタミン酸からγ−アミノ酪酸が胚芽中で合成されており、該γ−アミノ酪酸は、血圧上昇抑制作用等の身体に有効な作用を有し、而も安全性が高く、近年医療分野でも利用され、健康食品としても利用されている。
そこで、上記利点に着目し、発芽させた玄米を炊いて食することが行われる様になり、かかる発芽玄米は、玄米を水に長時間浸漬することで製造されている（例えば、特許文献１参照）。
【０００３】
【特許文献１】
特願平７−２１３２５２号公報（特許請求の範囲、第２〜３頁）
【０００４】
【発明が解決しようとする課題】
しかし、上記従来技術にあっては、単にγ−アミノ酪酸の合成量を増大させるためだけの方法であるため、うまみ成分であるグルタミン酸の胚芽中の含有量が減少してしまうため、炊飯してもうまみの少ないものになってしまうなど、解決せねばならない課題があった。
【０００５】
【課題を解決するための手段】
本発明は、上記従来技術に基づく、発芽玄米のうまみが少なくなってしまう課題に鑑み、洗浄した玄米を、該玄米の総重量の０．１〜１％のＬ−グルタミン酸を含有させた３０〜３４度の溶液中に４〜２２時間浸漬して発芽させ、次にかかる発芽玄米を脱水処理した後、約１２０度で含水率が約１０％になるまで焙煎処理する様にしたことによって、かかる発芽玄米への水分吸収時に溶液中のＬ−グルタミン酸も吸収されて、γ−アミノ酪酸の合成で減少したグルタミン酸が補充され含有量を維持すると共に、γ−アミノ酪酸の含有量も増量させる様にして、上記課題を解決する。
【０００６】
【発明の実施の形態】
以下本発明に係る発芽玄米の製造方法の一実施例を図面に基づいて説明する。
（１）玄米を網袋に詰めて洗浄槽内に浸漬し、玄米に付着したゴミ、汚れ等を除去する。
（２）洗浄後の袋詰体を、催芽器内の３０〜３４度の溶液中に４〜２２時間浸漬して、玄米を発芽させる。
（３）発芽後、袋詰体から発芽玄米を取り出して脱水機内に投入して、発芽玄米から余分な水分を除去する。
（４）脱水後の発芽玄米を焙煎装置内に投入して１２０度で焙煎し、含水率が約１０％になった時点で焙煎装置から焙煎済玄米を取り出して乾燥装置内に投入し、温度が約１５度になるまで序々に焙煎済発芽玄米を冷却した後、袋詰めする。
【０００７】
よって、上記（２）工程時には、溶液中に玄米の総重量の０．１〜１％、望ましくは０．２〜１％のＬ−グルタミン酸が含有されていることから、γ−アミノ酪酸の合成でグルタミン酸が減少しても、発芽玄米への水分吸収時に溶液中のＬ−グルタミン酸も吸収されて補充されるため、グルタミン酸の含有量は維持されると共に、γ−アミノ酪酸の含有量も増量される。更に、溶液中のＬ−グルタミン酸の作用によると思われるが、浸漬時に発生する発酵臭が抑えられる。
又、上記（４）工程を行うことで、焙煎済発芽玄米を単に袋詰めして常温で保管、搬送しても、或いは購入後に開封しても、カビが発生しない。
【０００８】
【発明の効果】
要するに本発明は、洗浄した玄米を、該玄米の総重量の０．１〜１％のＬ−グルタミン酸を含有させた３０〜３４度の溶液中に４〜２２時間浸漬して発芽させたので、うまみ成分であるグルタミン酸の含有量を減少させずに、γ−アミノ酪酸の含有量を増量させることが出来るため、うまみ成分を多く含んだ美味しい発芽玄米を提供することが出来る。
又、上記発芽玄米を脱水処理した後、約１２０度で含水率が約１０％になるまで焙煎処理する様にしたので、含有水分が殆ど無いことから、カビが発生したり、微生物が増殖することを防止出来るため、常温で保存しても長期間品質を維持させることが出来る。
よって、本発明に係る発芽玄米の製造方法によれば、美味しく、保存性の高い発芽玄米を製造することが出来、特に風味の落ちた古米、古々米でも美味しい発芽玄米にすることが出来る等その実用的効果甚だ大である。
【図面の簡単な説明】
【図１】本発明に係る発芽玄米の製造方法の工程図である。
【図１】
2005013029.tif 000003
(57)【要約】【課題】ペットの好む香りや栄養等を長期間保持できるペット用ガム及び栄養補助食品やおやつを提供する事にある。【解決手段】材料を発泡する事で、ハミガキ効果を得る事ができ、かつ芳香を放つものや栄養価の高い物を内側に包み２層にする。【効果】ペット用ガム等を２層にする事により、ペットの好む香りや必要な栄養成分を長期間保持する事ができる。【特許請求の範囲】
【請求項１】
ペット用ガム、ジャキー等を２層以上の発泡体で製造する方法
【請求項２】
項目１の製造方法によるペットフード。ペット用ガム。
【請求項３】
項目１の製造方によるペット用栄養補助食品
【請求項４】
発泡体と非発泡体からなる２層以上のものを製造する製造方法
【請求項５】
項目４の製造方法によるペットフード。ペット用ガム。
【請求項６】
項目４の製造方法によるペット用栄養補助食品
【発明の詳細な説明】
【０００１】
【発明の属する技術分野】
本発明はペット用ガム及びおやつを提供する事にある。
【０００２】
【従来の技術の問題点】
現在ペット用ガムは数多く生産されているが、ペットの好む香りがなかったり、又硬すぎたりするためすぐに飽きてしまう傾向があった。
【０００３】
【発明が解決しようとする課題】
本発明が解決しようとする課題はペットの好む香りのペット等を長期間保持できるペット用ガム及び用栄養補助食品やおやつを提供する事にある。
【０００４】
【課題を解決するための手段】
ペット用ガム及びおやつ等の材料を発泡する事で、ハミガキ効果を得る事ができ、かつ２層にする事によりペットの好む香りのするものや栄養価の高い物を内側にする事で、香りや栄養を長期間保持する事ができる。
【０００５】
【実施例】
牛皮をミンチにし澱粉を加えたものと、澱粉に小エビ粉を加えた物を混練、吐出２層のガムを製造した。
【０００６】
【発明の効果】
ペット用ガム等を２層にする事により、ペットの好む香りや必要な栄養成分を長期間保持する事ができる。また発泡させることにより食感がよいものができる。水分を減らしてもソフト感が得られる。